(57)【要約】【課題】メインタンクに貯留された還元剤が凍結した場合に、早期に還元剤を供給弁に供給することができる排気浄化装置を提供する。【解決手段】排気浄化装置１０は、供給弁１３と、選択還元触媒１１と、メインタンク１４と、サクション通路１６と、ポンプ１７と、リターン通路１８と、メインタンクの容量よりも小さい容量を有するとともに、リターン通路の通路途中に配置されて、還元剤を貯留するサブタンク１９と、サブタンクに貯留された還元剤を加熱する加熱装置２１と、サブタンクとサクション通路におけるポンプよりも上流側の箇所とを連通するバイパス通路２２と、バイパス通路に配置された開閉弁２３と、メインタンクに貯留された還元剤が凍結した場合に、加熱装置に還元剤を加熱させ、ポンプを稼動させ、且つ、開閉弁を開弁させる制御処理の実行を開始する制御装置４０と、を備える。【選択図】図１
2020094516.tif 000002
【特許請求の範囲】
【請求項１】
ＮＯｘを還元する還元剤をエンジンの排気通路の内部に供給する供給弁と、前記排気通路における前記供給弁よりも下流側の箇所に配置されて、前記還元剤によるＮＯｘの還元を促進させる選択還元触媒と、前記還元剤を貯留するメインタンクと、前記メインタンクと前記供給弁とを連通するサクション通路と、前記サクション通路の通路途中に配置されたポンプと、を備える排気浄化装置において、
前記サクション通路における前記ポンプよりも下流側の箇所と前記メインタンクとを連通するリターン通路と、
前記メインタンクの容量よりも小さい容量を有するとともに、前記リターン通路の通路途中に配置されて、前記還元剤を貯留するサブタンクと、
前記サブタンクに貯留された前記還元剤を加熱する加熱装置と、
前記サブタンクと前記サクション通路における前記ポンプよりも上流側の箇所とを連通するバイパス通路と、
前記バイパス通路に配置された開閉弁と、
前記メインタンクに貯留された還元剤が凍結した場合に、前記加熱装置に前記還元剤を加熱させ、前記ポンプを稼動させ、且つ、前記開閉弁を開弁させる制御処理の実行を開始する制御装置と、をさらに備えることを特徴とする排気浄化装置。
【請求項２】
前記加熱装置は、通電された場合に発熱する電熱線を有する電熱線ヒータである請求項１記載の排気浄化装置。
【請求項３】
前記還元剤は尿素水である請求項１又は２に記載の排気浄化装置。
【発明の詳細な説明】
【技術分野】
【０００１】
本開示は排気浄化装置に関する。
【背景技術】
【０００２】
従来、エンジンから排出された排気中のＮＯｘを例えば尿素水等の還元剤を利用して浄化する排気浄化装置が知られている（例えば特許文献１参照）。具体的には、特許文献１には、還元剤を排気通路の内部（すなわち排気通路内）に供給する供給弁（添加弁）と、排気通路における供給弁よりも下流側の箇所に配置されて、還元剤によるＮＯｘの還元を促進させる選択還元触媒と、還元剤を貯留するメインタンクと、メインタンクと供給弁とを連通するサクション通路と、メインタンクの還元剤を供給弁に圧送するポンプと、を備える排気浄化装置が開示されている。
【０００３】
ところで、上記のような排気浄化装置において、外気温が低温の場合に、メインタンクに貯留された還元剤が凍結する場合がある。この場合、メインタンクに貯留された還元剤を供給弁に供給することが困難になってしまう。これに対処するために、特許文献１に係る排気浄化装置は、メインタンクよりも容量の小さいサブタンクをさらに備え、メインタンクの還元剤が凍結している場合、且つ、サブタンクの還元剤が凍結していない場合に、サブタンクの還元剤をメインタンクに供給することで、メインタンクの還元剤の解凍を図っている。
【先行技術文献】
【特許文献】
【０００４】
【特許文献１】特開２０１６−２０５３５４号公報
【発明の概要】
【発明が解決しようとする課題】
【０００５】
しかしながら、上記のような特許文献１に係る技術では、メインタンクの還元剤が凍結している場合において、仮にサブタンクの還元剤も凍結している場合には、サブタンクの還元剤によってメインタンクの還元剤の解凍を促進させることが困難になる。この結果、早期に還元剤を供給弁に供給することが困難になる。
【０００６】
本開示は、上記のことを鑑みてなされたものであり、その目的は、メインタンクに貯留された還元剤が凍結した場合に、早期に還元剤を供給弁に供給することができる排気浄化装置を提供することである。
【課題を解決するための手段】
【０００７】
上記目的を達成するため、本開示に係る排気浄化装置は、ＮＯｘを還元する還元剤をエンジンの排気通路の内部に供給する供給弁と、前記排気通路における前記供給弁よりも下流側の箇所に配置されて、前記還元剤によるＮＯｘの還元を促進させる選択還元触媒と、前記還元剤を貯留するメインタンクと、前記メインタンクと前記供給弁とを連通するサクション通路と、前記サクション通路の通路途中に配置されたポンプと、を備える排気浄化装置において、前記サクション通路における前記ポンプよりも下流側の箇所と前記メインタンクとを連通するリターン通路と、前記メインタンクの容量よりも小さい容量を有するとともに、前記リターン通路の通路途中に配置されて、前記還元剤を貯留するサブタンクと、前記サブタンクに貯留された前記還元剤を加熱する加熱装置と、前記サブタンクと前記サクション通路における前記ポンプよりも上流側の箇所とを連通するバイパス通路と、前記バイパス通路に配置された開閉弁と、前記メインタンクに貯留された還元剤が凍結し
た場合に、前記加熱装置に前記還元剤を加熱させ、前記ポンプを稼動させ、且つ、前記開閉弁を開弁させる制御処理の実行を開始する制御装置と、をさらに備えることを特徴とする。
【発明の効果】
【０００８】
本開示によれば、メインタンクに貯留された還元剤が凍結した場合に、早期に還元剤を供給弁に供給することができる。
【図面の簡単な説明】
【０００９】
【図１】実施形態に係るエンジンシステムの模式的構成図である。
【図２】実施形態に係るフローチャートの一例である。
【発明を実施するための形態】
【００１０】
以下、実施形態に係る排気浄化装置１０について図面を参照しつつ説明する。図１は、本実施形態に係る排気浄化装置１０が適用されたエンジンシステム１の模式的構成図である。本実施形態に係るエンジンシステム１は、車両に搭載されている。この車両の具体的な種類は特に限定されるものではなく、乗用車や、トラック、バス等の種々の車両を用いることができる。なお、エンジンシステム１は、例えば産業機械や建設機械等に搭載されて用いることもできる。
【００１１】
エンジンシステム１は、エンジン２と、エンジン２から排出された排気が通過する排気通路３と、エンジン２を冷却する冷媒（すなわちエンジン２用の冷媒）が通過する冷媒通路４とを備えるとともに、本実施形態に係る排気浄化装置１０を備えている。
【００１２】
本実施形態では、エンジン２の具体例として、ディーゼルエンジンを用いている。排気通路３の上流側端部は、エンジン２の排気ポートに連通している。なお、エンジンシステム１は、エンジン２に吸入される吸気通路も備えているが、図１において、この吸気通路の図示は省略されている。冷媒通路４は、冷媒が、冷媒圧送用のポンプ、エンジン２、ラジエータ（これは、エンジン２を冷却した後の冷媒を空気との熱交換によって冷却する冷却器である）、暖房用ヒータ（これは車両の運転席に温風を送風するためのヒータである）等を通過するように構成されている。また、本実施形態に係る冷媒通路４の一部は、後述するメインタンク１４の内部に配置されている。
【００１３】
排気浄化装置１０は、エンジン２から排出された排気中のＮＯｘを、還元剤を利用して浄化する装置である。この還元剤としては、排気中のＮＯｘを還元することができるものであればよく、その具体的な種類は特に限定されるものではない。本実施形態では、この還元剤の一例として、尿素水を用いている。なお、還元剤として、尿素水以外の水溶液（例えば、アンモニアを含有する水溶液のようなＮＯｘ還元作用を有する水溶液等）を用いることもできる。
【００１４】
排気浄化装置１０は、選択還元触媒１１と、アンモニアスリップ触媒１２と、供給弁１３と、メインタンク１４と、サクション通路１６と、ポンプ１７と、リターン通路１８と、サブタンク１９と、加熱装置２１と、バイパス通路２２と、開閉弁２３と、温度センサ３０と、制御装置４０とを備えている。以下、これらの各構成について説明する。
【００１５】
選択還元触媒１１は、排気通路３における後述する供給弁１３よりも下流側の箇所に配置されている。選択還元触媒１１は、供給弁１３から排気通路３の内部（すなわち、排気通路３内）に供給された還元剤によるＮＯｘの還元を促進させる触媒である。このような機能を有するものであれば、選択還元触媒１１の具体的な種類は特に限定されるものではなく、例えば、バナジウム（Ｖ）、モリブデン（Ｍｏ）、タングステン（Ｗ）、ゼオライ
ト等の、公知の触媒を用いることができる。なお、本実施形態において、排気通路３における選択還元触媒１１よりも上流側の箇所には、排気中のＰＭ（Ｐａｒｔｉｃｕｌａｔｅ
Ｍａｔｔｅｒｓ；粒子状物質）を捕集するためのフィルタ（図示せず）も配置されている。
【００１６】
アンモニアスリップ触媒１２は、排気通路３における選択還元触媒１１よりも下流側の箇所に配置されている。アンモニアスリップ触媒１２は、選択還元触媒１１を通過したアンモニアを酸化させるための酸化触媒である。
【００１７】
供給弁１３は、ＮＯｘを還元する還元剤を排気通路３内に供給するための弁である。具体的には、本実施形態に係る供給弁１３は、開弁した場合に、排気通路３における選択還元触媒１１よりも上流側の箇所、且つ、前述したＰＭ捕集用のフィルタよりも下流側の箇所を通過する排気中に還元剤を供給する。この供給弁１３の開弁及び閉弁動作は、制御装置４０によって制御されている。なお、この供給弁１３は、公知の排気浄化装置で用いられている還元剤供給用の供給弁（あるいは添加弁又は噴射弁）を用いることができるので、供給弁１３の詳細な構造の説明は省略する。
【００１８】
メインタンク１４は、還元剤を貯留するためのタンクである。本実施形態に係るメインタンク１４は、メインタンク１４の内部と外部との間を空気が往来するための空気用通路であるブリーザ１５を備えている。メインタンク１４がブリーザ１５を備えることによって、還元剤がメインタンク１４の内部に流入したり、メインタンク１４の外部へ流出したりすることが容易になる。
【００１９】
前述したように、本実施形態に係るメインタンク１４の内部には、冷媒通路４の一部が配置されている。本実施形態において、冷媒通路４全体のうち、メインタンク１４内に配置された部分は、冷媒の流動方向でエンジン２よりも下流側且つラジエータよりも上流側の箇所（つまり、エンジン２を冷却後、ラジエータに流入する前の冷媒が通過する箇所）である。但し、メインタンク１４内に配置された冷媒通路４の具体的な箇所は、上記の箇所に限定されるものではない。他の例を挙げると、メインタンク１４内に配置された冷媒通路４は、エンジン２よりも上流側の箇所でもよく、ラジエータよりも下流側の箇所でもよい。
【００２０】
本実施形態のように、メインタンク１４内に冷媒通路４の一部が配置されていることによって、この冷媒通路４の冷媒の熱によって、メインタンク１４の還元剤を加熱することができる。すなわち、この冷媒通路４はメインタンク１４の還元剤を加熱するメインタンク用加温装置としての機能を有し、この冷媒通路４を通過する冷媒はメインタンク１４の還元剤を加熱する加熱流体としての機能を有している。
【００２１】
この構成によれば、冷媒通路４を通過する冷媒によってメインタンク１４の還元剤が加熱されることによって、メインタンク１４の還元剤が凍結し難くなるとともに、仮にメインタンク１４の還元剤が凍結した場合であっても、冷媒通路４の冷媒によって、メインタンク１４の還元剤の解凍を促進させることができる。なお、排気浄化装置１０は、このようなメインタンク用加熱装置を備えていない構成とすることもできる。
【００２２】
サクション通路１６は、メインタンク１４と供給弁１３とを連通している。ポンプ１７は、サクション通路１６の通路途中に配置されている。ポンプ１７の動作は、制御装置４０によって制御されている。メインタンク１４に貯留されている還元剤は、ポンプ１７が稼働した場合に、このポンプ１７によって吸い上げられることで、サクション通路１６を通過して供給弁１３に供給される。
【００２３】
制御装置４０は、通常時においては、予め設定された所定期間毎に供給弁１３から尿素水が噴射されるように、ポンプ１７及び供給弁１３を制御する。具体的には、制御装置４０は、予め設定された所定期間毎に、ポンプ１７を稼働させ且つ供給弁１３を開弁させることで、所定時間毎に供給弁１３から尿素水を噴射させる。供給弁１３から排気通路３内に供給された尿素水は、排気中で気化して加水分解される。この結果、アンモニア（ＮＨ３）が生成される。このアンモニアは選択還元触媒１１の触媒作用の下で排気中のＮＯｘを還元させる。この結果、窒素及び水が生成される。このようにして、排気浄化装置１０は、排気中のＮＯｘの低減を図っている。
【００２４】
リターン通路１８は、サクション通路１６におけるポンプ１７よりも下流側の箇所とメインタンク１４とを連通している。このリターン通路１８は、供給弁１３に残留した還元剤、及び、サクション通路１６におけるポンプ１７よりも下流側の箇所に残留した還元剤を、メインタンク１４に戻すための通路である。
【００２５】
サブタンク１９は、メインタンク１４の容量（ｍｍ３）よりも小さい容量（ｍｍ３）を有するとともに、リターン通路１８の通路途中に配置されている。このサブタンク１９は、リターン通路１８を通過してサブタンク１９に流入した還元剤を一時的に貯留する。このサブタンク１９に一時的に貯留された還元剤は、リターン通路１８におけるサブタンク１９よりも下流側の箇所を通過して、メインタンク１４に流入する。
【００２６】
本実施形態によれば、サブタンク１９の容量がメインタンク１４の容量よりも小さいので、サブタンク１９の容量がメインタンク１４の容量以上の場合に比較して、後述する加熱装置２１によって、サブタンク１９の還元剤を早期に加熱することができる。
【００２７】
なお、サブタンク１９は、メインタンク１４よりも上方側に配置されていることが好ましい。これにより、サブタンク１９に貯留された還元剤を、重力の作用を利用して、効率的にメインタンク１４に流入させることができるからである。実際、本実施形態に係るサブタンク１９は、メインタンク１４よりも上方側に配置されている。
【００２８】
また、本実施形態に係るサブタンク１９は、サブタンク１９の内部と外部との間を空気が往来するための空気用通路であるブリーザ２０を備えている。サブタンク１９がブリーザ２０を備えることによって、還元剤がサブタンク１９の内部に流入したり、サブタンク１９の内部から外部へ流出したりすることが容易になる。
【００２９】
本実施形態のようにサブタンク１９がリターン通路１８に配置されていることによって、このサブタンク１９はリターン通路１８を通過する還元剤に含まれる異物を除去するフィルタとしての機能を発揮することができる。これにより、サブタンク１９がリターン通路１８に配置されていない場合に比較して、リターン通路１８を通過してメインタンク１４に流入する尿素水に混入する異物の量を低減させることができる。また、サブタンク１９がリターン通路１８に配置されていることによって、リターン通路１８を通過してメインタンク１４に流入する還元剤に起因してメインタンク１４内の還元剤に泡が多量に発生することを抑制することができる。
【００３０】
加熱装置２１は、サブタンク１９に貯留された還元剤を加熱するための装置である。この加熱装置２１の動作（加熱開始及び加熱停止）は、制御装置４０によって制御されている。加熱装置２１としては、制御装置４０に制御されることでサブタンク１９の還元剤の加熱を開始することができるものであればよく、その具体的な構成は特に限定されるものではないが、本実施形態では、一例として、以下の構成を有している。
【００３１】
まず、本実施形態に係る加熱装置２１は、サブタンク１９に配置されている。具体的に
は、加熱装置２１は、サブタンク１９の内部（サブタンク１９を構成する壁部の内側の領域であり、還元剤が貯留される領域である）に配置されている。
【００３２】
また、本実施形態では、加熱装置２１として、通電された場合に発熱する電熱線を有するヒータ（すなわち「電熱線ヒータ」）を用いている。この加熱装置２１としての電熱線ヒータは、バッテリ等の電源（図示せず）と電気的に接続されており、この電源からの電気が供給されることで（つまり通電されることで）、発熱して還元剤を加熱する。この電熱線ヒータへの通電開始及び通電停止は制御装置４０によって行われている。また、電熱線としては、例えば、ニクロム線、タングステン線、セラミック線等を用いることができる。
【００３３】
このように加熱装置２１として電熱線ヒータを用いることによって、この加熱装置２１は、制御装置４０によって制御されて通電されることで、早期に発熱することができ、これにより、早期に還元剤の加熱を開始することが容易にできる。
【００３４】
なお、加熱装置２１の配置箇所は、サブタンク１９の内部に限定されるものではない。他の一例を挙げると、加熱装置２１は、サブタンク１９を構成する壁部の外側の領域（外表面の部分）に配置されていてもよく、あるいは、サブタンク１９の壁部の内部に埋設されるように配置されていてもよい。この構成においても、加熱装置２１は、サブタンク１９の壁部を介して還元剤を加熱することができる。
【００３５】
また、加熱装置２１の他の一例を挙げると、例えば、電熱線ヒータによって加熱された流体の熱を利用してサブタンク１９の還元剤を加熱するタイプのものを用いることもできる。この具体例を挙げると、例えば、加熱装置２１として、サブタンク１９の内部に、一部が配置された流体循環通路と、流体を流体循環通路内を循環させる循環機構（例えばポンプ）と、流体循環通路内を循環する流体を加熱する電熱線ヒータと、を備えるものを用いることができる。この場合、制御装置４０に制御されることで、電熱線ヒータが流体循環通路内を循環する流体を加熱し、且つ、循環機構が稼働して流体を流体循環通路内に循環させることで、この流体循環通路内を循環する流体の熱によってサブタンク１９の還元剤の加熱を開始することができる。但し、本実施形態のように、加熱装置２１として、サブタンク１９に配置された電熱線ヒータを用いる場合の方が、簡素な構成で、サブタンク１９の還元剤をより迅速に加熱することができる。
【００３６】
バイパス通路２２は、サブタンク１９と、サクション通路１６におけるポンプ１７よりも上流側の箇所と、を連通している。開閉弁２３は、バイパス通路２２に配置されている。この開閉弁２３は、制御装置４０に制御されることで開弁及び閉弁する。開閉弁２３が開弁した場合、バイパス通路２２は開状態になる。この場合、サブタンク１９の還元剤がバイパス通路２２を通過できる状態になる。一方、開閉弁２３が閉弁した場合、バイパス通路２２は閉状態になる。この場合、サブタンク１９の還元剤はバイパス通路２２を通過できない状態になる。なお、通常時において、開閉弁２３は閉弁している。
【００３７】
ここで、ポンプ１７が稼働した状態で開閉弁２３が開弁した場合、サブタンク１９に貯留されている還元剤のうち少なくとも一部は、バイパス通路２２、サクション通路１６（具体的には、サクション通路１６におけるポンプ１７よりも上流側且つバイパス通路２２が接続している箇所よりも下流側の部分）、ポンプ１７、サクション通路１６（具体的には、サクション通路１６におけるポンプ１７よりも下流側且つリターン通路１８が接続している箇所よりも上流側の部分）、リターン通路１８、サブタンク１９をこの順で循環する。そして、このように還元剤が循環した状態で、供給弁１３が開弁した場合には、この循環している還元剤のうち少なくとも一部は、サクション通路１６を介して供給弁１３に供給され、その後、供給弁１３から排気通路３内に供給される。
【００３８】
温度センサ３０は、メインタンク１４に貯留された還元剤の温度を検出して、この検出値を制御装置４０に伝える。
【００３９】
制御装置４０は、プロセッサとしての機能を有するＣＰＵ（Ｃｅｎｔｒａｌ  Ｐｒｏｃｅｓｓｉｎｇ  Ｕｎｉｔ）４１と、ＣＰＵ４１の動作に用いられる各種データやプログラム等を記憶する記憶装置４２と、を有するマイクロコンピュータを備えている。記憶装置４２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等の記憶媒体によって構成されている。
【００４０】
本実施形態に係る制御装置４０は、メインタンク１４に貯留された還元剤が凍結した場合に、加熱装置２１に還元剤を加熱させ、ポンプ１７を稼動させ、且つ、開閉弁２３を開弁させる制御処理（以下、「加熱循環制御処理」と称する）の実行を開始する。この加熱循環制御処理を含む一連の制御処理の詳細について、フローチャートを用いて説明すると次のようになる。
【００４１】
図２は、本実施形態に係る制御装置４０が実行するフローチャートの一例である。図２のフローチャートの各ステップは、制御装置４０の具体的にはＣＰＵ４１が記憶装置４２に記憶されているプログラムに基づいて実行する。また、本実施形態に係る制御装置４０は、エンジン２の始動開始と同時に、図２のフローチャートを最初にスタートする。
【００４２】
まず、制御装置４０は、メインタンク１４に貯留された還元剤が凍結したか否かを判定する（ステップＳ１０）。このステップＳ１０の具体的な内容は特に限定されるものではないが、本実施形態に係る制御装置４０は、一例として、メインタンク１４に貯留された還元剤の温度に基づいて、この還元剤が凍結したか否かを判定する。具体的には、制御装置４０は、温度センサ３０の検出結果に基づいて、メインタンク１４に貯留されている還元剤の温度を取得し、この取得された還元剤の温度が凍結温度相当の所定温度以下であると判定した場合に、還元剤が凍結したと判定する。この所定温度の具体的な値は、還元剤の種類に応じて適宜設定すればよい。本実施形態のように、還元剤として尿素水を用いる場合には、この所定温度として、尿素水の凍結温度（具体的には−１１℃）を用いればよい。この所定温度は、予め記憶装置４２に記憶させておく。
【００４３】
ステップＳ１０はＹＥＳと判定されるまで繰り返し実行される。ステップＳ１０でＹＥＳと判定された場合（すなわち、メインタンク１４に貯留された還元剤が凍結した場合）、制御装置４０は、加熱循環制御処理の実行を開始する（ステップＳ２０）。具体的には、制御装置４０は、この加熱循環制御処理において、前述したように、加熱装置２１に還元剤を加熱させ、ポンプ１７を稼動させ、且つ、開閉弁２３を開弁させる。
【００４４】
より具体的には、ステップＳ２０において制御装置４０は、加熱装置２１への通電を開始させることで、加熱装置２１を発熱させる。これにより、加熱装置２１は、サブタンク１９に貯留された還元剤の加熱を開始する。この結果、加熱循環制御処理の実行開始前において、仮に、サブタンク１９に貯留されている還元剤が凍結していた場合であっても、この加熱装置２１による加熱によって、メインタンク１４よりも容量の小さいサブタンク１９の還元剤を早期に解凍させて液体状態にすることができる。そして、ポンプ１７が稼動し、且つ、開閉弁２３が開弁することによって、前述したように、このサブタンク１９に貯留されている液体状態の還元剤の少なくとも一部を、バイパス通路２２、サクション通路１６、ポンプ１７、サクション通路１６、リターン通路１８、サブタンク１９の順に循環させることができる。このように還元剤が循環した状態で供給弁１３が開弁した場合には、この循環している還元剤を、サクション通路１６を介して供給弁１３に供給することができる。
【００４５】
このように、本実施形態によれば、メインタンク１４に貯留された還元剤が凍結した場合であっても、早期に還元剤を供給弁１３に供給することができる。
【００４６】
なお、ステップＳ２０において、加熱装置２１に還元剤を加熱させること、ポンプ１７を稼動させること、及び、開閉弁２３を開弁させることは、同時に実行されてもよく、異時（非同時）に実行されてもよい。これらが異時に実行される場合には、加熱装置２１に還元剤を加熱させること、ポンプ１７を稼動させること、及び、開閉弁２３を開弁させることの実行順序は特に限定されるものではなく、これらのうちいずれを最初に実行してもよい。この具体例を挙げると、最初に加熱装置２１による加熱を実行し、その後、所定時間が経過してからポンプ１７の稼働と開閉弁２３の開弁とを同時又は異時に実行してもよい。また、ステップＳ２０の実行開始前において、ポンプ１７が既に稼働している場合には、制御装置４０は、ステップＳ２０において、このポンプ１７の稼働を継続させればよい。
【００４７】
ステップＳ２０の後に、制御装置４０は、メインタンク１４に貯留された還元剤の解凍が完了したか否かを判定する（ステップＳ３０）。このステップＳ３０の具体的な内容は特に限定されるものではないが、本実施形態に係る制御装置４０は、一例として、メインタンク１４に貯留された還元剤の温度に基づいて、この還元剤の解凍が完了したか否かを判定する。具体的には、制御装置４０は、温度センサ３０の検出結果に基づいて、メインタンク１４に貯留されている還元剤の温度を取得し、この取得された還元剤の温度が凍結温度相当の所定温度よりも高くなったと判定した場合に、この還元剤の解凍が完了したと判定する。この所定温度としては、ステップＳ１０で用いられた所定温度と同じ値を用いることができる。ステップＳ３０はＹＥＳと判定されるまで繰り返し実行される。
【００４８】
なお、前述したように、本実施形態に係るメインタンク１４の内部には冷媒通路４の一部が配置されているため、この冷媒通路４を通過する冷媒によって、メインタンク１４の還元剤の解凍は促進されている。
【００４９】
ステップＳ３０でＹＥＳと判定された場合（すなわち、還元剤の解凍が完了した場合）、制御装置４０は加熱循環制御処理の実行を終了する（ステップＳ４０）。すなわち、本実施形態に係る加熱循環制御処理は、メインタンク１４の還元剤の解凍が完了するまで、継続して実行されている。
【００５０】
具体的には、ステップＳ４０において制御装置４０は、加熱装置２１への通電を停止させることで、加熱装置２１による還元剤の加熱を停止させる。また、制御装置４０は、開閉弁２３を閉弁させる。開閉弁２３が閉弁することで、サブタンク１９の還元剤は、バイパス通路２２には流入せずに、リターン通路１８におけるサブタンク１９よりも下流側の部分に流入して、その後、メインタンク１４に流入する。また、制御装置４０は、ステップＳ４０において、ポンプ１７の稼動を停止させてもよく、稼動を継続させてもよい。このステップＳ４０の実行後に、制御装置４０は、フローチャートを再びスタートから実行する（リターン）。
【００５１】
以上のような本実施形態によれば、メインタンク１４に貯留された還元剤が凍結した場合に、ステップＳ２０に係る加熱循環制御処理の実行が開始されることによって、早期に還元剤を供給弁１３に供給することができる。これにより、早期に、排気中のＮＯｘの浄化を行うことができる。特に、本実施形態によれば、メインタンク１４に貯留された還元剤が凍結した場合において、仮にサブタンク１９の還元剤も凍結した場合であっても、ステップＳ２０に係る加熱循環制御処理の実行が開始されることによって、早期に還元剤を供給弁１３に供給することができ、早期に排気中のＮＯｘの浄化を行うことができる。
【００５２】
また、本実施形態によれば、既存の排気浄化装置が有するメインタンクの仕様を変更することなく、この既存の排気浄化装置に対して、本実施形態に係るサブタンク１９、加熱装置２１、バイパス通路２２、開閉弁２３、及び制御装置４０を設置するという変更を施すことによって、本実施形態に係る排気浄化装置１０を実現することができる。このように、本実施形態によれば、既存の排気浄化装置を有効利用して、本実施形態に係る排気浄化装置１０を容易に実現することができる。
【００５３】
なお、以上説明した実施形態は、例として提示したものであり、発明の範囲を限定するものではなく、特許請求の範囲内において、さらなる変更が可能である。
【符号の説明】
【００５４】
１  エンジンシステム
２  エンジン
３  排気通路
１０  排気浄化装置
１１  選択還元触媒
１３  供給弁
１４  メインタンク
１６  サクション通路
１７  ポンプ
１８  リターン通路
１９  サブタンク
２１  加熱装置
２２  バイパス通路
２３  開閉弁
３０  温度センサ
４０  制御装置
【図１】
2020094516.tif 000003
【図２】
2020094516.tif 000004